(57)【要約】  【課題】  パチンコ遊技者にとってパチンコ機の性能や性質を一目で分かり易いように表示し、高齢者や初心者、誰でもがパチンコ機の性質をある程度簡単に理解できて納得して遊技できるようにし、遊技者にとって飽きられること無く、長時間興趣を持って快適に遊技が行えるようにしたパチンコ機を提供するものである。  【解決手段】ハンドルを回転して遊技盤に遊技球を発射し、遊技盤に設けられた入賞口に遊技球を入賞させると機種毎に定められた所定の賞球数が払い出されると共に、一定条件を満たした場合に大当たりとなって多量の賞球数が得られるパチンコ遊技機において、大当たりが得られ易いが大当たり時の賞球数が少ないパチンコ遊技機か、又は大当たりが得られ難いが大当たり時の賞球数が多いパチンコ遊技機か、を目安にランク付けし、このランク付けしたランク表示を遊技者が分かり易い位置に表示したパチンコ遊技機。  【選択図】    図１
2005137425.tif 000002
【特許請求の範囲】
【請求項１】
ハンドルを回転して遊技盤に遊技球を発射し、遊技盤に設けられた入賞口に遊技球を入賞させると機種毎に定められた所定の賞球数が払い出されると共に、一定条件を満たした場合に大当たりとなって多量の賞球数が得られるパチンコ遊技機において、
前記パチンコ遊技機が、大当たりが得られ易いが大当たり時の賞球数が少ないパチンコ遊技機か、又は大当たりが得られ難いが大当たり時の賞球数が多いパチンコ遊技機か、を目安にランク付けし、該ランク付けしたランク表示を遊技者が分かり易い位置に表示したことを特徴とするパチンコ遊技機。
【請求項２】
前記大当たり時に得られる獲得賞球数に応じて前記パチンコ遊技機をランク付けし、該ランク付けしたランク表示を遊技者が分かり易い位置に表示したことを特徴とする請求項１記載のパチンコ遊技機。
【請求項３】
前記大当たりが得られる確率値によってパチンコ遊技機をランク付けし、該ランク付けしたランク表示を遊技者が分かり易い位置に表示したことを特徴とする請求項１記載のパチンコ遊技機。
【請求項４】
前記大当たり後に賞球が得られ易くなる付加価値機能によって得られる賞球数も含めた平均出玉期待賞球数によってパチンコ遊技機をランク付けし、該ランク付けしたランク表示を遊技者が分かり易い位置に表示したことを特徴とするパチンコ遊技機。
【発明の詳細な説明】
【技術分野】
【０００１】
本発明は、ハンドルを回転して遊技盤に遊技球を発射し、遊技盤に設けられた入賞口に遊技球を入賞させると機種毎に定められた所定の賞球数が払い出されると共に、一定条件を満した場合に大当たりとなって多量の賞球が得られるパチンコ遊技機に関し、詳しくは一定の条件及び賞球の獲得方法によって分類されている、液晶画面やドラムの図柄で大当たりが得られる第１種、役物の羽根又は入賞口が所定時間又は所定回数開閉する第２種、大当たり権利が発生した後右打ちしオープン入賞口へ入賞させて大当たりが発生する第３種、等のパチンコ遊技機に関するものである。
【背景技術】
【０００２】
上記パチンコ機において、代表的な一般的に良く知られている第１種パチンコ機を例にとって説明する。第１種パチンコ機は例えば遊技盤に液晶やＬＥＤ、回転ドラム等の図柄変動表示器が設けられ、ハンドルで発射された遊技球が遊技盤上の始動口に入賞すると、液晶やＬＥＤ等図柄変動表示器の１〜９までの数字又はキャラクター図柄が一斉に変動表示を開始する。この変動表示は例えば左、右、中図柄の順で停止し、停止した図柄が、例えば７７７のように同じ図柄に揃って停止した場合に大当たりとなり、遊技盤に設けられた大入賞口の開閉扉が開放状態になる。
【０００３】
開放状態の大入賞口に遊技球が１０個入るか、又は遊技球が入らなくとも所定の３０秒間が経過すると、大入賞口の開閉扉が閉じて第１ラウンドが終了する。この第１ラウンド中に大入賞口内に設けられた継続Ｖ入賞口に入賞すると、次の第２ラウンドが始まり、また大入賞口の開閉扉が開かれて第２ラウンドが始まる。第２ラウンド中に更に大入賞口内の継続Ｖ入賞口に入賞すると次の第３ラウンドが始まる。このようにして各ラウンド中に大入賞口内の継続Ｖ入賞口に入賞するのを条件に、最大１６ラウンドまで継続して開かれ、極めて多くの賞球が得られるようになっている。
【０００４】
また別のパチンコ遊技機として、開閉可能な大入賞口を遊技盤の上下に配置し、大当たりが発生した際、遊技盤の上下に配置した前記大入賞口が、所定回数を限度として上下の大入賞口が交互に繰り返し開閉するパチンコ機も開示されている。
【０００５】
本願出願の先行技術文献として次のものがある。
【特許文献１】特開２００３―１８１０２９号公報
【発明の開示】
【発明が解決しようとする課題】
【０００６】
上記したごとく図柄が揃って一旦大当たりが得られると極めて多くの賞球が得られるが、従来のパチンコ機においては、表示器の変動停止図柄が揃って大当たりが得られる確率値には一定の制限があり、また大当たり時における上記大入賞口の開閉扉が開放状態になるラウンド回数も一定の制限があり、パチンコ機台の機種毎に所定の基準内で、大当たり確率、大当たり時のラウンド回数、１ラウンド当たりの遊技球カウント数、賞球当たりの払出遊技球数等がパチンコ機種毎に設定されている。
【０００７】
この仕様はパチンコ機の機種毎に種々異なった設定がなされており、パチンコ機遊技盤には個々の細かい仕様数値が表示されているが遊技者にとっては、例えば確率値が表示されてあってもこの確率値のもつ意味が分からず、この機種はどのような遊技上の性質か、例えば遊技中のこのパチンコ機台は良く大当たりが発生するが出玉がそれほど多くない機種であるとか、大当たりが発生し難いが一旦発生すると多くの賞球数が得られる機種であるとか、が分からずに遊技が行われる。従って遊技者はどのような性質のパチンコ機であるか判らずに遊技するため、高価な遊技球を長時間に亘って沢山消費してしまい、遊技の興趣が失われたり、また大当たりが得られても獲得賞球数が少ないためにすぐに飽きられてしまい、遊技の興趣が失われたりする問題があった。
【０００８】
本発明はこのような背景と課題に基づいて発明されたものであって、その目的は、パチンコ遊技者にとってパチンコ機の性能や性質を一目で分かるように表示し、高齢者や初心者等、誰でもがパチンコ機の性質をある程度簡単に理解でき、納得して遊技できるようにし、遊技者にとって飽きられること無く、長時間でも興趣を持って快適に遊技が行えるようにしたパチンコ機を提供するものである。
【課題を解決するための手段】
【０００９】
本発明の請求項１の発明は、ハンドルを回転して遊技盤に遊技球を発射し、遊技盤に設けられた入賞口に遊技球を入賞させると機種毎に定められた所定の賞球数が払い出されると共に、一定条件を満たした場合に大当たりとなって多量の賞球数が得られるパチンコ遊技機において、
前記パチンコ遊技機が、大当たりが得られ易いが大当たり時の賞球数が少ないパチンコ遊技機か、又は大当たりが得られ難いが大当たり時の賞球数が多いパチンコ遊技機か、を目安にランク付けし、該ランク付けしたランク表示を遊技者が分かり易い位置に表示したことを特徴とするパチンコ遊技機である。
【００１０】
また本発明の請求項２の発明は、前記パチンコ遊技機において、大当たり時に得られる獲得賞球数に応じて前記パチンコ遊技機をランク付けし、該ランク付けしたランク表示を遊技者が分かり易い位置に表示したことを特徴とするパチンコ遊技機である。
【００１１】
また本発明の請求項３の発明は、前記パチンコ遊技機において、大当たりが得られる確率値によってパチンコ遊技機をランク付けし、該ランク付けしたランク表示を遊技者が分かり易い位置に表示したことを特徴とするパチンコ遊技機である。
【００１２】
また本発明の請求項４の発明は、前記パチンコ遊技機において、大当たり後に賞球が得られ易くなる付加価値機能によって得られる賞球数も含めた平均出玉期待賞球数によってパチンコ遊技機をランク付けし、該ランク付けしたランク表示を遊技者が分かり易い位置に表示したことを特徴とするパチンコ遊技機である。
【発明の効果】
【００１３】
本発明の効果は、遊技者が分かりやすい位置にパチンコ機の性質をランク付け表示してあるから、遊技者にとってはパチンコ機の性質が一目で容易に判り、このため、高齢者や初心者等、誰でもパチンコ機の性質を簡単に理解することができ、納得して遊技することができる。従ってのんびりとパチンコ遊技を楽しみたい遊技者にとっては大当たり時の賞球数が少なくとも良く大当たりが発生し易いパチンコ機台を選定することができ、またある程度お金を消費しても多大の賞球を獲得したいと望む遊技者にとっては、大当たり時の獲得賞球数が多いパチンコ機台をランク表示を見て容易に選択することができる。
このため遊技者はパチンコ機の性質を納得して遊技し楽しむことができるため、飽きられることが無く、長時間でも興趣を持って快適に遊技できる。
【発明を実施するための最良の形態】
【００１４】
パチンコ遊技機が、大当たりが得られ易いが大当たり時の賞球数が少ないパチンコ遊技機か、又は大当たりが得られ難いが大当たり時の賞球数が多いパチンコ遊技機か、を目安にランク付けし、該ランク付けしたランク表示を遊技者が分かり易い位置に表示した。
また前記パチンコ遊技機において、大当たり時に得られる獲得賞球数に応じて前記パチンコ遊技機をランク付けし、該ランク付けしたランク表示を遊技者が分かり易い位置に表示した。
また前記パチンコ遊技機において、大当たりが得られる確率値によってパチンコ遊技機をランク付けし、該ランク付けしたランク表示を遊技者が分かり易い位置に表示した。
また前記パチンコ遊技機において、大当たり後に賞球が得られ易くなる付加価値機能によって得られる賞球数も含めた平均出玉期待賞球数によってパチンコ遊技機をランク付けし、該ランク付けしたランク表示を遊技者が分かり易い位置に表示した。
【実施例１】
【００１５】
以下本発明の一実施例について、良く知られた第１種パチンコ機を例にとって説明する。
図１はいわゆる第１種パチンコ機１を示し、パチンコ機１は遊技盤２上に設けた外レール４と内レール３とで遊技領域６が形成されている。この遊技領域６の中央部にセンターケース７が設けられ、センターケース７内に図柄変動表示装置８とLED普通図柄表示装置９が設けられている。センターケース７の周りには風車１０、１１が、また下部中央部には、図柄変動表示装置８の図柄変動を開始する電動役物（チューリップ）付き始動口１２が、始動口１２の左右にLED普通図柄表示装置9の図柄変動を開始するゲート１３、１３や入賞口１４、１４が設けられている。
【００１６】
始動口１２の下部には、図柄変動表示装置８の図柄が特別な状態で停止した際に開閉扉が開放して大きな賞球が得られる大入賞口１６や、その左右に通常の入賞口１７を一体に設けたアタッカー１５を配置し、その下部に上記いずれの入賞口にも入らずに流下したアウト球を遊技盤２裏面に回収するアウト口１８が配置されている。そして遊技領域６の左右で内レール３の近傍にサイドランプ１９が、またこれら遊技領域６内に多数の障碍釘２０を所定の配置で打設している。
【００１７】
遊技盤２の下部は、遊技球を発射装置に誘導する遊技球供給皿１ａ、その下部に供給皿１ａの余剰遊技球を貯留する下部遊技球受け皿１ｄ、及び発射装置のハンドル１ｃ等が設けられている。遊技球はハンドル１ｃの操作で発射装置から球通過路5を通って遊技領域6の上部へ発射される。発射された遊技球は、障碍釘２０や風車１０，１１、センターケース７などを経て、例えば始動口１２や入賞口１４、１７へ入賞し、入賞口へ入賞することによって所定数の遊技球が内部の賞球払い出し装置から払い出される。
【００１８】
大入賞口１６は、図１、図２に示すように遊技盤の始動口１２の下部に設けられた長方形状の入賞口で、図２で示す一例の取付基板２１の前方に向けて開閉扉２７が軸受け２５、２５に支持され、取付基板２１の裏面にて電動開閉装置のソレノイド２８で開閉制御可能に設けられ、前方に向けて開閉する構造になっている。また大入賞口１６内には継続して開閉扉２７が開く権利が得られる継続Ｖ入賞口２２やＶ入賞口２２に入賞した遊技球を検出するためのＶ検出スイッチ２３が設けられている。
【００１９】
上記パチンコ機において遊技盤２を透明板で覆う遊技盤周囲の前面枠３０の一部に、そのパチンコ機の性質を表示するランク表示３１がなされている。実施例では英文字のＭが表示されており、この実施例の場合、透明樹脂で形成された前面枠３０の内面にランク表示３１を表記したシート盤を装着して遊技者が一目で確認できるように表示してある。このランク表示３１は、大当たりが得られ易いが大当たり時の賞球数が少ないパチンコ機を例えばＳ文字表示し、又、大当たりが得られにくいが大当たり時の賞球数が多いパチンコ機を例えばＬ文字で表示し、その中間の性質を持つパチンコ機をＭ文字表示している。この表示はＡ，Ｂ，Ｃでも、大、中、小でも、カラー表示の赤、青、黄色で表示しても良く、また３段階に限らず２段階でも、４段階にランク付けし、表示してあっても良い。このランク付けしたランク表示は図１のように遊技者にとって分かり易い、例えばパチンコ機全体の前面位置に表示するのが好適である。
【００２０】
このランク付けは、大当たりが得られ易いが大当たり時の賞球数が少ないパチンコ遊技機か、又は大当たりが得られ難いが大当たり時の賞球数が多いパチンコ遊技機か、を目安にランク付けされており、例えば大当たり得られた際の獲得賞球数を基に前記パチンコ遊技機をランク付けしている。
また一つは大当たりが得られる確率値に基づきランク付けしている。即ち、発射された遊技球が遊技盤上の始動口１２に入賞すると、図柄変動表示器８の数字又はキャラクター図柄が一斉に変動表示し、その後停止し、この停止図柄が、例えば７７７のように同じ図柄に揃って停止した場合に大当たりとなり、遊技盤上の大入賞口１６の開閉扉２７が開放する。開放状態の大入賞口１６に遊技球が１０コ入ると開閉扉２７が閉じて第１ラウンドが終了する。この第１ラウンド中に大入賞口１６内の継続Ｖ入賞口２２に入賞すると、次の第２ラウンドが始まり、また大入賞口の開閉扉が開かれて第２ラウンドが始まる。第２ラウンド中に更に大入賞口内の継続Ｖ入賞口２２に入賞すると次の第３ラウンドが始まる。
【００２１】
このような大当たり時の獲得賞球数は、連続して作動する最大ラウンド回数Ｎ、大入賞口が開放中に遊技球が入賞する最大カウント数Ｒ、１個の遊技球が入賞した場合の払出し賞球数Ｓ、に応じて計算上、例えば概略大当たり時の獲得賞球数＝Ｎ＊Ｒ＊Ｓで算出される。
また始動口１２に入賞して図柄変動表示器８の図柄が揃い大当たりが得られる確率は機種毎に設定されており、この確率が大きい機種、即ち大当たりが発生しやすい機種は、一般的に前記大当たり時に獲得できる獲得賞球数が少なく設定され、反対に大当たりが発生しにくい機種は前記大当たり時に獲得できる獲得賞球数が多く設定されている。
【００２２】
従って本発明のように大当たり時の獲得賞球数に基づき、例えば該獲得賞球数が例えば、２０００個迄をＳ、２０００〜２５００個をＭ、２５００個以上をＬと、３段階にランク付けし、前記パチンコ機の前面に表示することによって、遊技者は好みの性能のパチンコ機台を選択して遊技できる。
また大当たりが得られる確率が例えば１／２００以上をＳとし、１／２００〜１／３００迄をＭ、１／３００以下をＬのように３段階にランク付けし、図１のごとくパチンコ機の前面に表示することによって、遊技者は好みの性能のパチンコ機を選択して遊技することができ、また興趣が失われず、長時間であっても快適に楽しめる。
【００２３】
また通常のパチンコ機において、一度大当たりが発生すると更に大当たりが得られ易くなる様に各種付加価値機能が設定されている。例えば大当たり時の図柄変動表示器８の組合せ図柄等によって、大当たり確率がこれまでの確率値から大当たりが発生しやすい確率値に変動したり、始動口１２に入り易いように始動口１２の電動役物（チューリップ）の開放時間が長くなったり、始動口１２に入賞した際に図柄変動する図柄変動表示装置８の変動時間が短縮して図柄変動回数が多くなり大当たり抽選回数が多く稼げ、大当たりが発生し易くなるようにするなどの各種の付加価値機能が設定されている。
【００２４】
この付加価値機能を含めて１回の大当たりが発生した際に得られる平均出玉期待賞球数Ｔは、前記大当たり時の獲得賞球数であるＮ＊Ｒ＊Ｓに、大当たり終了後の前記各種付加価値機能によって得られる大当たり回数も含めた１回の大当たりで得られる平均大当たり回数Ｕを乗じた値で表される。この付加価値機能で得られる大当たりも含めた平均大当たり回数Ｕは連続試射による経験値から求められる。従ってこの平均出玉期待賞球数Ｔ＝Ｎ＊Ｒ＊Ｓ＊Ｕで表され、より詳細に、大当たりが得られ易いが大当たり時の賞球数が少ないパチンコ遊技機か、又は大当たりが得られ難いが大当たり時の賞球数が多いパチンコ遊技機かのランク付けをすることができる。
【産業上の利用可能性】
【００２５】
ハンドルを回転して遊技盤に遊技球を発射し、遊技盤に設けられた入賞口に遊技球を入賞させると機種毎に定められた所定の賞球数が払い出されると共に、一定条件を満たした場合に大当たりとなって多量の賞球数が得られるパチンコ遊技機に好適なものである。
【図面の簡単な説明】
【００２６】
【図１】本発明の一実施例を示すパチンコ機の正面を示す図である。
【図２】本発明の一実施例の大入賞口を示す斜視図である。
【符号の説明】
【００２７】
１  パチンコ遊技機                        ２  遊技盤
３  内レール                              ４  外レール
５  通路                                  ６  遊技領域
７  センターケース傘                      ８  図柄変動表示装置
９  普通図柄表示装置                      １０、１１  風車
１２  始動入賞口                          １３  ゲート
１４、１７  普通入賞口                    １５  アタッカー装置
１６  大入賞口                            １８  アウト口
１９  サイドランプ                        ２０  障碍釘
１ａ  上受け皿                            １ｄ  下受け皿
２２  継続Ｖ入賞口                        ２７  大入賞口の開閉扉
３０  前面枠                              ３１  ランク表示
【図１】
2005137425.tif 000003
【図２】
2005137425.tif 000004
【手続補正書】
【提出日】平成15年11月5日(2003.11.5)
【手続補正１】
【補正対象書類名】図面
【補正対象項目名】図１
【補正方法】変更
【補正の内容】
【図１】
2005137425.tif 000005